【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
ユーザに関連するＲＦＩＤタグ上に記憶されたデータを読み取り、前記データと前記ＲＦＩＤタグの第１の位置とを示す第１の信号を生成するように構成された無線周波数識別（ＲＦＩＤ）リーダと、
相互作用要素とのユーザインタラクションを検出して、前記ユーザインタラクションと前記相互作用要素に関連する第２の位置とを示す第２の信号を生成するように構成されたセンサシステムと、
前記第１の信号によって示される前記第１の位置と、前記第２の信号によって示される前記第２の位置とが一致することに基づいて、前記ユーザを前記ユーザインタラクションに合致させ、
前記ユーザが前記ユーザインタラクションに合致したことを反映するようにユーザデータベースを更新する、
ように構成されたプロセッサと、
を備えることを特徴とするシステム。
【請求項２】
前記相互作用要素は、画像を表示するように構成されたディスプレイ含み、前記プロセッサは、前記ユーザを前記ユーザインタラクションに合致させたことに応答して、前記ディスプレイ上に提示するための別の画像をレンダリングするように構成される、
請求項１に記載のシステム。
【請求項３】
前記ＲＦＩＤリーダは、極超短波ＲＦＩＤリーダである、
請求項１に記載のシステム。
【請求項４】
前記ＲＦＩＤリーダは、前記ＲＦＩＤタグから前記ＲＦＩＤリーダに送信されたＲＦＩＤ信号の強度を示す第３の信号を生成するように構成され、前記プロセッサは、前記第３の信号に基づいて、前記ユーザを前記ユーザインタラクションに合致させるように構成される、
請求項１に記載のシステム。
【請求項５】
前記センサシステムは、１又は２以上の光学検出器を含む、
請求項１に記載のシステム。
【請求項６】
前記センサシステムは、第１の相互作用要素を表示するように構成されたディスプレイの周辺に位置する複数の光学検出器を含む、
請求項１に記載のシステム。
【請求項７】
前記センサシステムは、複数の近距離通信リーダを含む、
請求項１に記載のシステム。
【請求項８】
前記センサシステムは、光検出及び測距（ＬＩＤＡＲ）システムを含む、
請求項１に記載のシステム。
【請求項９】
前記センサシステムは、抵抗式タッチ画面パネル、容量式タッチ画面パネル、表面音響波パネル、又はこれらのいずれかの組み合わせを含む、
請求項１に記載のシステム。
【請求項１０】
前記ＲＦＩＤリーダは、さらなるユーザに関連するさらなるＲＦＩＤタグ上に記憶されたそれぞれのデータを読み取って、前記それぞれのデータと、前記さらなるＲＦＩＤタグの第３の位置とを示す第３の信号を生成するように構成され、前記センサシステムは、さらなる相互作用要素とのユーザインタラクションを検出して、前記さらなるユーザインタラクションと、前記さらなる相互作用要素の第４の位置とを示す第４の信号を生成するように構成され、前記プロセッサは、前記第３の信号によって示される前記第３の位置と、前記第４の信号によって示される前記第４の位置とが一致すること基づいて、前記さらなるユーザを前記さらなるユーザインタラクションに合致させ、前記さらなるユーザが前記さらなるユーザインタラクションに合致したことを反映するように前記ユーザデータベースを更新するように構成される、
請求項１に記載のシステム。
【請求項１１】
前記センサシステムは、前記ユーザインタラクション及び前記さらなるユーザインタラクションが実質的に同時に発生した時に、前記ユーザを前記ユーザインタラクションに合致させて、前記さらなるユーザを前記さらなるユーザインタラクションに合致させるように構成される、
請求項１０に記載のシステム。
【請求項１２】
前記ＲＦＩＤタグ上に記憶されたデータを読み取り、前記ＲＦＩＤタグから前記１又は２以上のさらなるＲＦＩＤリーダに送信されたそれぞれのＲＦＩＤ信号のそれぞれの強度を示す１又は２以上のさらなる信号を生成するように構成された１又は２以上のさらなるＲＦＩＤリーダ備え、前記プロセッサは、前記第１の信号及び前記１又は２以上のさらなる信号に基づいて、前記相互作用要素に対する前記ＲＦＩＤタグの位置を特定するように構成される、
請求項１に記載のシステム。
【請求項１３】
１又は２以上のそれぞれのユーザに関連する１又は２以上のＲＦＩＤタグ上に記憶されたデータを読み取るように構成された無線周波数識別装置（ＲＦＩＤ）リーダと、
ディスプレイ上の第１の位置における第１のユーザインタラクション、及び前記ディスプレイ上の第２の位置における第２のユーザインタラクションを検出するように構成されたセンサシステムと、
前記ＲＦＩＤリーダから、前記データを示すＲＦＩＤ信号を受け取り、前記センサシステムから、前記第１のユーザインタラクション及び前記第２のユーザインタラクションを示すセンサ信号を受け取るように構成されたプロセッサと、
を備え、前記プロセッサは、前記センサ信号と、前記１又は２以上のＲＦＩＤタグのうちの第１のＲＦＩＤタグ上に記憶されたデータを前記ＲＦＩＤリーダが読み取ったこととに基づいて、前記ディスプレイ上の前記第１の位置に表示するための第１の画像をレンダリングするように構成されるとともに、前記センサ信号と、前記１又は２以上のＲＦＩＤタグのうちの第２のＲＦＩＤタグ上に記憶されたデータを前記ＲＦＩＤリーダが読み取ったこととに基づいて、前記ディスプレイ上の前記第２の位置に表示するための第２の画像をレンダリングするように構成される、
ことを特徴とするシステム。
【請求項１４】
前記プロセッサは、前記ＲＦＩＤ信号及び前記センサ信号に基づいて、前記１又は２以上のそれぞれのユーザのうちの第１のユーザを前記第１のユーザインタラクションに合致させ、前記１又は２以上のそれぞれのユーザのうちの前記第１のユーザが前記第１のユーザインタラクションに合致したことを反映するようにユーザデータベースを更新するように構成される、
請求項１３に記載のシステム。
【請求項１５】
前記ＲＦＩＤ信号は、前記１又は２以上のＲＦＩＤタグの各々のそれぞれの位置を示す、
請求項１３に記載のシステム。
【請求項１６】
プロセッサにおいて、無線周波数識別装置（ＲＦＩＤ）リーダによって読み取られた、ユーザに関連するＲＦＩＤタグ上に記憶されたデータと前記ＲＦＩＤタグの第１の位置とを示す第１の信号を前記ＲＦＩＤリーダから受け取るステップと、
前記プロセッサにおいて、相互作用要素とのユーザインタラクションと、前記相互作用要素に関連する第２の位置とを示す第２の信号をセンサシステムから受け取るステップと、
前記プロセッサを使用して、前記第１の信号によって示される前記第１の位置と、前記第２の信号によって示される前記第２の位置とに基づいて、前記ユーザを前記ユーザインタラクションに合致させるステップと、
前記プロセッサを使用して、前記ユーザが前記ユーザインタラクションに合致したことを反映するようにユーザデータベースを更新するステップと、
を含むことを特徴とする方法。
【請求項１７】
前記プロセッサを使用して、前記ユーザを前記ユーザインタラクションに合致させたことに応答して、ディスプレイ上に表示するための画像をレンダリングするステップを含む、
請求項１６に記載の方法。
【請求項１８】
前記センサシステムを使用して、発光素子によって放出された光の遮断を検出するステップと、
前記センサシステムを使用して、前記光の遮断に応答して前記第２の信号を生成するステップと、
を含む請求項１６に記載の方法。
【請求項１９】
前記プロセッサにおいて、前記ＲＦＩＤリーダによって読み取られたさらなるユーザに関連するさらなるＲＦＩＤタグ上に記憶されたそれぞれのデータと、前記さらなるＲＦＩＤタグの第３の位置とを示す第３の信号を前記ＲＦＩＤリーダから受け取るステップと、
前記プロセッサにおいて、さらなる相互作用要素とのさらなるユーザインタラクションと、前記さらなる相互作用要素に関連する第４の位置とを示す第４の信号を前記センサシステムから受け取るステップと、
前記プロセッサを使用して、前記第３の信号によって示される前記第３の位置と、前記第４の信号によって示される前記第４の位置とに基づいて、前記さらなるユーザを前記さらなるユーザインタラクションに合致させるステップと、
前記プロセッサを使用して、前記さらなるユーザが前記さらなるユーザインタラクションに合致したことを反映するように前記ユーザデータベースを更新するステップと、
を含む請求項１６に記載の方法。
【請求項２０】
前記プロセッサにおいて、前記ＲＦＩＤタグ上に記憶されたデータを読み取るように構成された１又は２以上のさらなるＲＦＩＤリーダから１又は２以上のさらなる信号を受け取るステップと、
前記プロセッサを使用して、前記第１の信号及び前記１又は２以上のさらなる信号に基づいて、前記相互作用要素に対する前記ＲＦＩＤタグの位置を特定して、前記ユーザを前記ユーザインタラクションに合致させることを容易にするステップと、
を含む請求項１６に記載の方法。